(57)【要約】【課題】精度良く空気中の浮遊塵埃を除去することができる電気掃除機を提供する。【解決手段】電動送風機２の吸引風で床面の塵埃を吸引する床面吸込み口１１を備えた吸込具８と、吸込具８に設けられ電動送風機２の吸引風により空気中の浮遊塵埃を吸引する空気取り入れ口１２と、床面より吸引した塵埃の量と大きさを検知するセンサー５とを備え、センサー５が検知した塵埃の量と大きさに応じて空気取り入れ口１２の向きを変化させるもので、例えば、センサー５が舞い上がりやすい細塵を検知したときに、空気取り入れ口１２の向きを鉛直方向にすれば、舞い上げられた浮遊塵埃を効率よく吸引して、使用者の鼻口周辺の高さまで塵埃が漂うのを防ぎ、センサー５が比較的大きく床面近くで浮遊する塵埃を検知したときは、空気取り入れ口１２の向きを水平方向にすれば、床面近くの浮遊塵埃が確実に吸引され、ほこりが少ない空間で快適に掃除を行うことができる。【選択図】図１
2010022744.tif 000002
【特許請求の範囲】
【請求項１】
吸引風を発生させる電動送風機と、前記電動送風機と連通し、その吸引風により床面の塵埃を吸引する床面吸込み口を備えた吸込具と、前記吸込具に設けられると共に、前記電動送風機の吸引風により空気中の浮遊塵埃を吸引する空気取り入れ口と、床面より吸引した塵埃の量と大きさを検知する塵埃検知手段とを備え、前記塵埃検知手段が検知した塵埃の量と大きさに応じて前記空気取り入れ口の向きを変化させる電気掃除機。
【請求項２】
塵埃検知手段が検知した塵埃の量が多いほど、空気取り入れ口の向きをより鉛直に近くし、より高く舞い上がった浮遊塵埃を吸引する請求項１に記載の電気掃除機。
【請求項３】
塵埃検知手段が検知した空気中に舞い上がりやすい細塵が多いほど、空気取り入れ口の向きをより鉛直に近くし、より高く舞い上がった浮遊塵埃を吸引する請求項１または２に記載の電気掃除機。
【請求項４】
電動送風機の吸引力が強いほど、空気取り入れ口の向きをより鉛直方向にするようにした請求項１〜３のいずれか１項に記載の電気掃除機。
【発明の詳細な説明】
【技術分野】
【０００１】
本発明は、電気掃除機に関するものであり、特に空気中の浮遊塵埃を吸引するための制御に関するものである。
【背景技術】
【０００２】
従来のこの種の電気掃除機として、吸込具上面に多数の微小孔を設け、前記微小孔を通して空気中の浮遊塵埃を吸引するようにしたものがある（例えば、特許文献１参照）。
【特許文献１】特許第２８１７００４号公報
【発明の開示】
【発明が解決しようとする課題】
【０００３】
しかしながら、上記特許文献１に記載された従来の電気掃除機の構成によれば、吸込具上面の微小孔が常に同じ開口面積で、しかも同じ開口向きで開いたままになっているので、特定領域の浮遊塵埃の吸引には適しているが、床面に存在する塵埃の量や大きさによって塵埃が舞い上がる程度が異なり、その舞い上がり方が変わることにより浮遊塵埃が達する高さが変わるが、その高さの変化には対応できていない、という課題があった。
【０００４】
本発明は、前記従来の課題を解決するもので、床面より吸引した塵埃の量と大きさを検知して、掃除中に舞い上がる浮遊塵埃の舞い上がり高さを推定し、精度良く空気中の浮遊塵埃を除去することができる電気掃除機を提供することを目的とするものである。
【課題を解決するための手段】
【０００５】
前記従来の課題を解決するために本発明の電気掃除機は、吸引風を発生させる電動送風機と、前記電動送風機と連通し、その吸引風により床面の塵埃を吸引する床面吸込み口を備えた吸込具と、前記吸込具に設けられると共に、前記電動送風機の吸引風により空気中の浮遊塵埃を吸引する空気取り入れ口と、床面より吸引した塵埃の量と大きさを検知する塵埃検知手段とを備え、前記塵埃検知手段が検知した塵埃の量と大きさに応じて前記空気取り入れ口の向きを変化させるもので、例えば、前記塵埃検知手段が検知した塵埃が、高いところまで舞い上がりやすい細塵のときは、空気取り入れ口の向きを鉛直方向にすれば、掃除中に舞い上げられた浮遊塵埃を効率よく吸引でき、部屋の上方、特に使用者の鼻口周辺の高さまで塵埃が漂うのを防ぐことができ、又、前記塵埃検知手段が検知した塵埃が比較的大きく、床面近くで浮遊する塵埃のときは、空気取り入れ口の向きを水平方向にすれば、床面近くで浮遊する塵埃が確実に吸引され、使用者はほこりが少ない空間で快適に掃除を行うことができる。
【発明の効果】
【０００６】
本発明の電気掃除機は、掃除中に舞い上げられる花粉やハウスダストなどの浮遊塵埃を効率よく吸引でき、使用者は、ほこりが少ない空間で快適に掃除を行うことができる。
【発明を実施するための最良の形態】
【０００７】
第１の発明は、吸引風を発生させる電動送風機と、前記電動送風機と連通し、その吸引風により床面の塵埃を吸引する床面吸込み口を備えた吸込具と、前記吸込具に設けられると共に、前記電動送風機の吸引風により空気中の浮遊塵埃を吸引する空気取り入れ口と、床面より吸引した塵埃の量と大きさを検知する塵埃検知手段とを備え、前記塵埃検知手段が検知した塵埃の量と大きさに応じて前記空気取り入れ口の向きを変化させるもので、例えば、前記塵埃検知手段が検知した塵埃が、高いところまで舞い上がりやすい細塵のときは、空気取り入れ口の向きを鉛直方向にすれば、掃除中に舞い上げられた浮遊塵埃を効率よく吸引でき、部屋の上方、特に使用者の鼻口周辺の高さまで塵埃が漂うのを防ぐことができ、又、前記塵埃検知手段が検知した塵埃が比較的大きく、床面近くで浮遊する塵埃のときは、空気取り入れ口の向きを水平方向にすれば、床面近くで浮遊する塵埃が確実に吸引され、使用者は、ほこりが少ない空間で快適に掃除を行うことができる。
【０００８】
第２の発明は、特に、第１の発明の塵埃検知手段が検知した塵埃の量が多いほど、空気取り入れ口の向きをより鉛直に近くし、より高く舞い上がった浮遊塵埃を吸引するもので、ほこりがより高く舞い上がりやすい状況では空気取り入れ口の向きをより鉛直方向に向けて浮遊塵埃が使用者の鼻口に達するのを防ぐことができる。
【０００９】
第３の発明は、特に、第１又は第２の発明の塵埃検知手段が検知した空気中に舞い上がりやすい細塵が多いほど、空気取り入れ口の向きをより鉛直に近くし、より高く舞い上がった浮遊塵埃を吸引するもので、ほこりがより高く舞い上がりやすい状況では空気取り入れ口の向きをより鉛直方向に向けて浮遊塵埃が使用者の鼻口に達するのを防ぐことができる。
【００１０】
第４の発明は、特に、第１〜３のいずれか一つの発明の電動送風機の吸引力が強いほど、空気取り入れ口の向きをより鉛直方向にするもので、塵埃の舞い上がりに関わる排気の風速も考慮することで、より精度良く掃除中に舞い上げられた浮遊塵埃を吸引することができる。
【００１１】
以下、本発明の実施の形態について、図面を参照しながら説明する。なお、この実施の形態によって本発明が限定されるものではない。
【００１２】
（実施の形態１）
本発明の第１の実施の形態における電気掃除機について図１〜４を用いて説明する。
【００１３】
図１（ａ）は、本実施の形態における電気掃除機の全体図、図１（ｂ）、（ｃ）、（ｄ）は、同電気掃除機の吸込具の拡大図である。
【００１４】
図１において、１は、掃除機本体であり、２は、掃除機本体１に内蔵された電動送風機であり、３は、電動送風機２の吸引風によって吸引された塵埃を捕集する紙パックである。電動送風機２の吸引風は、ホース４と延長管７を通じて床面吸込み口１１を備えた吸込具８へ伝わり、この吸引風によって床面吸込み口１１から床面の塵埃を吸引する。
【００１５】
１０は、図示しない電動機や吸い込み気流などで回転駆動される回転ブラシで、床面吸込み口１１近傍に配されており、回転ブラシ１０が回転すると、床面の塵埃がかき出され、床面吸込み口１１からの塵埃の吸引を補助する。
【００１６】
また、吸込具８の上部には、水平方向から略鉛直方向まで回動する電動ルーバー９を設けており、この電動ルーバー９の端部には、電動送風機２の吸引力が作用し浮遊塵埃を吸引する空気取り入れ口１２が設けられている。電動ルーバー９は、開口向き設定手段（図示せず）が設定した角度に応じて、図１（ｂ）のような水平方向から、図１（ｃ）、（ｄ）の様に鉛直方向へ回動し、より高い位置の浮遊塵埃を吸引するよう、空気取り入れ口１２の開口向きを変化させるようになっている。
【００１７】
ホース４には、吸引した塵埃の量と大きさを検知する塵埃検知手段としてのセンサー５と、使用者が持つための手元ハンドル６を備えている。
【００１８】
図２は、手元ハンドル６の上面の拡大図であり、本実施の形態における電気掃除機を運転する際に操作する強スイッチ６１、中スイッチ６２、弱スイッチ６３、掃除機を停止させる停止スイッチ６４が備えられている。
【００１９】
次に、上記のように構成された本実施の形態における電気掃除機の動作、作用について、図１〜４を参照しながら説明する。
【００２０】
使用者が掃除をする際には、強スイッチ６１、中スイッチ６２、弱スイッチ６３のいずれかを操作する。制御手段（図示せず）は、強スイッチ６１を操作したときは、電動送風機２への入力を９００Ｗに、中スイッチ６２を操作したときは、電動送風機２への入力を６００Ｗに、弱スイッチ６３を操作したときは、電動送風機２への入力を２００Ｗにそれぞれ設定して、使用者が吸引力の強さを選択できるようになっている（以降、それぞれの動作モードを強モード、中モード、弱モードとする）。
【００２１】
停止スイッチ６４を操作すると、電動送風機２への入力を遮断し、運転を停止する（以降、停止モードとする）。強、中、弱いずれかのモードで運転している場合は、電動ルーバー９及び、回転ブラシ１０が電動機で駆動されている場合は、その電動機へ電力が供給され、回転ブラシ１０は、床面の塵埃をかき出し、電動ルーバー９が回動して、空気中の浮遊塵埃を吸引するために図１（ｂ）、（ｃ）、（ｄ）のように空気取り入れ口１２の開口向きを変化させる。
【００２２】
センサー５は、電動送風機２の吸引風によって吸引された塵埃を検出し、その検出された塵埃の大きさ別の検出数から、図３の判断テーブルを用いて塵埃の浮遊レベルを判断する。一般的に床面の塵埃が多いほど、また、その塵埃が小さいほど掃除したときに塵埃が舞い上がりやすく空気中に浮遊しやすい。例えば花粉はその大きさは約３０μｍであり、空気中に長時間浮遊する事は無いが、それが破裂した時に飛散した時に放出され、花粉症の症状を引き起こす要因となるアレルゲン含有物質の大きさは約０．５μｍであり、空気中に浮遊し続ける。なお、一般的には１μｍ以下の塵埃は空気中に漂い続けると言われている。それより大きな塵埃は舞い上がりはするが沈降しやすいため、その性質を利用して塵埃の浮遊レベルの判断を行う。
【００２３】
本実施の形態では、単位時間（例えば、２秒）当たりの塵埃の大きさ別の検出数に対して、Ｘ＝（２秒間の１μｍ以下の塵埃の検出数）＋（２秒間の１μｍより大きい塵埃の検出数）×０．２というような大きさ別に重み付けした計算式を用いて、このＸが大きいほど塵埃量が多く、舞い上がりやすいと判断している。
【００２４】
この判断した塵埃の浮遊レベルを用いて、図４で示す角度設定テーブルによって電動ルーバー９の水平位置からの回動角度が決定される。角度設定テーブルは、塵埃の浮遊レベルに対応する電動ルーバー９の角度を設定しており、舞い上がりやすい塵埃が多いときには、空気取り入れ口１２の向きをより鉛直方向へ向けて、より高く舞い上がった塵埃を吸引して、部屋の上方、特に使用者の鼻口まで塵埃が舞い上がるのを防ぐようにし、逆に塵埃が少ない、または大きな塵埃の場合は、電動ルーバー９を略水平方向にして、すなわち空気取り入れ口１２の向きを横向きにして、低い所で浮遊している塵埃を吸引するようにする。
【００２５】
また、この角度設定テーブルでは、排気風速による塵埃の舞い上がりも考慮しており、電動送風機２による吸引力が強いほど、掃除機本体１からの排気風量・風速が増加し、より塵埃が舞い上がりやすくなるため、吸引力が強いモードであるほど、電動ルーバー９をより鉛直方向まで回動させることで、塵埃の舞い上がりに関わる排気の風速も考慮したより精度が良い空気取り入れ口１２の開口向きの設定ができる。
【００２６】
以上のような制御を行うことで、掃除中に舞い上げられる花粉やハウスダストなどの浮遊塵埃を効率よく吸引でき、使用者は、ほこりが少ない空間で快適に掃除を行うことができる。
【産業上の利用可能性】
【００２７】
以上のように、本発明に係る電気掃除機は、床面より吸引した塵埃の量と大きさから、掃除中に舞い上がる浮遊塵埃の舞い上がり高さを推定し、精度良く空気中の浮遊塵埃を除去することができるもので、家庭用、業務用の各種電気掃除機に適用できる。
【図面の簡単な説明】
【００２８】
【図１】（ａ）本発明の第１の実施の形態における電気掃除機の全体図、（ｂ）〜（ｄ）同電気掃除機の吸込具の拡大図
【図２】同電気掃除機の手元ハンドルの上面の拡大図
【図３】同電気掃除機の塵埃の浮遊レベルの判断説明図
【図４】同電気掃除機の電動ルーバーの角度設定説明図
【符号の説明】
【００２９】
１    掃除機本体
２    電動送風機
３    紙パック
４    ホース
５    センサー（塵埃検知手段）
６    手元ハンドル
７    延長管
８    吸込具
９    電動ルーバー
１０  回転ブラシ
１１  床面吸込み口
１２  空気取り入れ口
６１  強スイッチ
６２  中スイッチ
６３  弱スイッチ
６４  停止スイッチ
【図１】
2010022744.tif 000003
【図２】
2010022744.tif 000004
【図３】
2010022744.tif 000005
【図４】
2010022744.tif 000006